(57)【要約】【課題】  エアコン室外機がバルコニーの天井、壁および床面のいずれに取り付けられている場合であっても、部品を出来るだけ共通にすることで、室外機を簡単に一時移動できるエアコン室外機の移動装置を提供することにある。【解決手段】  バルコニーの天井、壁面または床に設置されたエアコン室外機１００を、その取り付け位置から移動させるための移動装置であって、１または２以上のポール部材１０を着脱自在に連結してなるポール１と、前記ポール１に着脱自在に取り付けられる天井取付タイプの室外機用移動部材と、前記ポール１に着脱自在に取り付けられる壁取付タイプの室外機用移動部材と、前記ポール１を斜めにした状態でポール１に着脱自在に取り付けられる床設置タイプの室外機用移動部材とを備える。【選択図】図３
0003189135.tif 000002
【実用新案登録請求の範囲】
【請求項１】
バルコニーの天井、壁面または床に設置されたエアコン室外機を、その取り付け位置から移動させるための移動装置であって、
（１）１または２以上のポール部材を着脱自在に連結してなるポールと、
（２）下記（２−１）および（２−２）を含む天井取付タイプの室外機用移動部材と、
（２−１）前記ポールの下端に着脱自在に取り付けられ、高さ調整手段を介して床面に接地する第１の床側パーツ、および
（２−２）前記ポールの上端に着脱自在に取り付けられ、前記高さ調整手段により上下動する、天井から取り外した室外機を保持するための第１の天側パーツ、
（３）下記（３−１）〜（３−３）を含む壁取付タイプの室外機用移動部材と、
（３−１）前記ポールの下端に着脱自在に取り付けられ、高さ調整手段を介して床面に接地する第２の床側パーツ、
（３−２）前記ポールの上端に着脱自在に取り付けられ、天井面に当接する第２の天側パーツ、および
（３−３）壁面に取り付けられた室外機載置枠体の近傍位置でポールに着脱自在に取り付けられ、前記室外機載置枠体から引き出した室外機を保持する壁取付室外機の支持手段、
（４）下記（４−１）〜（４−４）を含む床設置タイプの室外機用移動部材と、
（４−１）前記ポールを斜めにした状態でポールの下端に着脱自在に取り付けられ、バルコニーの床面とその立ち上がり面に沿うＬ形板を有する第３の床側パーツと、
（４−２）前記ポールを斜めにした状態でポールの上端に着脱自在に取り付けられ、壁面に当接する壁側パーツ、
（４−３）前記ポールから着脱自在に吊り下げられ、床設置室外機を床面から吊り上げる手段、
を備えていることを特徴とするエアコン室外機の移動装置。
【請求項２】
バルコニーの天井に設置されたエアコン室外機を移動させるための移動装置であって、
（１）１または２以上のポール部材を着脱自在に連結してなるポールと、
（２−１）前記ポールの下端に着脱自在に取り付けられ、高さ調整手段を介して床面に接地する第１の床側パーツと、
（２−２）前記ポールの上端に着脱自在に取り付けられ、前記高さ調整手段により上下動する、天井から取り外した室外機を保持するための第１の天側パーツと、
を備えたことを特徴とするエアコン室外機の移動装置。
【請求項３】
バルコニーの壁面に設置されたエアコン室外機を移動させるための移動装置であって、
（１）１または２以上のポール部材を着脱自在に連結してなるポールと、
（３−１）前記ポールの下端に着脱自在に取り付けられ、高さ調整手段を介して床面に接地する第２の床側パーツと、
（３−２）前記ポールの上端に着脱自在に取り付けられ、天井面に当接する第２の天側パーツと、
（３−３）壁面に取り付けられた室外機載置枠体の近傍位置でポールに着脱自在に取り付けられ、前記室外機載置枠体から引き出した室外機を保持する壁取付室外機の支持手段と、
を備えたことを特徴とするエアコン室外機の移動装置。
【請求項４】
バルコニーの床面に設置されたエアコン室外機を移動させるための移動装置であって、
（１）１または２以上のポール部材を着脱自在に連結してなるポールと、
（４−１）前記ポールを斜めにした状態でポールの下端に着脱自在に取り付けられ、バルコニーの床面とその立ち上がり面に沿うＬ形板を有する第３の床側パーツと、
（４−２）前記ポールを斜めにした状態でポールの上端に着脱自在に取り付けられ、壁面に当接する壁側パーツと、
（４−３）前記ポールから着脱自在に吊り下げられ、床設置室外機を床面から吊り上げる手段と、
を備えたことを特徴とするエアコン室外機の移動装置。
【請求項５】
前記（２−１）の第１の床側パーツと（３−１）記載の第２の床側パーツが、下端面にねじ穴を有し前記ポール部材に着脱自在に接続されるパイプ材と、前記ねじ穴に螺合するジャッキネジが立設され床面に接地するベースとを備えるものである請求項１〜３のいずれかに記載のエアコン室外機の移動装置。
【請求項６】
前記（２−１）の第１の床側パーツと（３−１）記載の第２の床側パーツが同一部材である請求項１〜３および５のいずれかに記載のエアコン室外機の移動装置。
【請求項７】
前記（４−３）記載の床設置室外機を床面から吊り上げる手段がレバーホイストである請求項１または４に記載のエアコン室外機の移動装置。
【考案の詳細な説明】
【技術分野】
【０００１】
本考案は、バルコニーの天井、床または壁面の補修のために、それらに設置されているエアコン室外機を、その取り付け位置から一時的に移動させるためのエアコン室外機の移動装置に関する。
【背景技術】
【０００２】
エアコン室外機には、大きく分けると床置きタイプ・天吊りタイプ・壁掛けタイプの３種類があり、各専用ラックを使用してマンションのバルコニー等に設置されている。しかし、各エアコン室外機は、以下に述べるように、工事施工の障害となり一時取り外し又は移動しなければ工事ができない。
（Ｉ）床置きタイプの室外機は、床の防水工事・床の塩ビシート貼工事・壁塗装工事等の障害となる。
（ＩＩ）天吊りタイプの室外機は、天井塗装工事・ラック接触部の塗装工事等の障害となる。
（ＩＩＩ）壁掛けタイプの室外機は、壁・天井塗装工事・ラック接触部の塗装工事等の障害となる。
【０００３】
そこで、室内機と冷媒配管でつかながっているエアコン室外機を一時取り外す場合、冷媒ガスを一旦室外機側に取り込む必要がある。一方、現状復旧時には室内機側の冷媒ガスを１００％室外機側に取り込めず、取り外し時に減った冷媒ガスの補充が必要なケースもあるため、空調専門業者の工事となっていた。また、室外機の取り外し、取り付け工事は高額であった。
特に、既存マンション等のバルコニーにおいて、例えばバルコニー床面の防水工事、塩ビシート貼工事、壁塗装工事等を行う場合、床置されたエアコン室外機は一旦床面より持ち上げる必要がある。このようなエアコン室外機は重量があるので、取り外す際に人手と大掛かりな装置が必要である。
【０００４】
そこで、エアコン室外機を取り外さずに、冷媒配管の長さだけ室外機を一時的に移動させる手段が様々提案されている。特許文献１は、ベランダ床面から室外機を一時的に吊り上げる装置を開示している。
しかしながら、エアコン室外機の取り付け位置は、床面、壁および天井の３つがあるため、それぞれの取り付け位置に対応した専用の移動装置を使用して移動させる必要があり、３通りの移動装置を準備する必要があった。
【先行技術文献】
【特許文献】
【０００５】
【特許文献１】特開２００３−０２１３６２号公報
【考案の概要】
【考案が解決しようとする課題】
【０００６】
本考案の課題は、エアコン室外機がバルコニーの天井、壁および床面のいずれに取り付けられている場合であっても、部品を出来るだけ共通にすることで、室外機を簡単に一時移動できるエアコン室外機の移動装置を提供することにある。
【課題を解決するための手段】
【０００７】
本考案者は、上記課題を解決すべく鋭意検討を重ねた結果、上記課題を解決する手段を見出し、本考案を完成するに至った。すなわち、本考案は、バルコニーの天井、壁面または床に設置されたエアコン室外機を、その取り付け位置から移動させるための移動装置であって、
（１）１または２以上のポール部材を着脱自在に連結してなるポールと、
（２）下記（２−１）および（２−２）を含む天井取付タイプの室外機用移動部材と、
（２−１）前記ポールの下端に着脱自在に取り付けられ、高さ調整手段を介して床面に接地する第１の床側パーツ、および
（２−２）前記ポールの上端に着脱自在に取り付けられ、前記高さ調整手段により上下動する、天井から取り外した室外機を保持するための第１の天側パーツ、
（３）下記（３−１）〜（３−３）を含む壁取付タイプの室外機用移動部材と、
（３−１）前記ポールの下端に着脱自在に取り付けられ、高さ調整手段を介して床面に接地する第２の床側パーツ、
（３−２）前記ポールの上端に着脱自在に取り付けられ、天井面に当接する第２の天側パーツ、および
（３−３）壁面に取り付けられた室外機載置枠体の近傍位置でポールに着脱自在に取り付けられ、前記室外機載置枠体から引き出した室外機を保持する壁取付室外機の支持手段、
（４）下記（４−１）〜（４−４）を含む床設置タイプの室外機用移動部材と、
（４−１）前記ポールを斜めにした状態でポールの下端に着脱自在に取り付けられ、バルコニーの床面とその立ち上がり面に沿うＬ形板を有する第３の床側パーツと、
（４−２）前記ポールを斜めにした状態でポールの上端に着脱自在に取り付けられ、壁面に当接する壁側パーツ、
（４−３）前記ポールから着脱自在に吊り下げられ、床設置室外機を床面から吊り上げる手段、
を備えていることを特徴とする。
【考案の効果】
【０００８】
本考案によれば、エアコン室外機がバルコニーの天井、壁および床面のいずれに取り付けられている場合であっても、支柱となるポールを共通化し、これにそれぞれの取付け位置に応じた部材を組み合わせることにより、室外機を一人の作業員であっても簡単に一時的に移動させることができると共に、部材の点数が少なくなるので移動装置の持ち運びが簡単になり、コストも低減できる。
【図面の簡単な説明】
【０００９】
【図１】（ａ）はエアコン室外機の移動装置のポール部材の正面図であり、（ｂ）はポール部材の接続方法を示す部分拡大正面図である。
【図２】（ａ）は天側パーツ２１の側面図、（ｂ）は床側パーツ２２の正面図、（ｃ）は天側パーツ２１の組み立て方法を示す一部切欠き斜視図である。
【図３】（ａ）〜（ｃ）は、ポールと天井取付けタイプの室外機用移動部材を用いた移動装置によって室外機を移動する方法を示す説明図である。
【図４】図３（ａ）〜（ｃ）に示す室外機の移動方法の上部拡大側面図である。
【図５】（ａ）はポールと壁取付けタイプの室外機用移動部材を組み立てた状態を示す側面図であり、（ｂ）は壁取付けタイプの室外機用移動部材を示す拡大側面図である。
【図６】ポールと床設置タイプの室外機用移動部材を組み立てた状態を示す側面図である。
【図７】ポールと床設置タイプの室外機用移動部材により室外機を持ち上げた状態を示す側面図である。
【考案を実施するための形態】
【００１０】
以下、本考案に係るエアコン室外機の移動装置の一実施形態について、図面を参照して説明する。なお、本考案の移動装置は、主としてアパートやマンション等におけるバルコニーやベランダ等に設置された室外機を一時移動するために使用される。
【００１１】
＜ポール＞
本考案の移動装置において使用されるポール１は、図１（ａ）に示す長さの異なる複数のポール部材１０から、使用場所に応じて適切な長さとなるように適宜選択され、かつ２本以上のポール部材１０を使用する場合は、それらのポール部材１０を着脱自在に連結してなるものである。
このようなポール部材１０は一端に小径部１２が設けられた筒状の大径部１１からなり、小径部１２上にはバネボタン１３が出没自在に突設され、大径部１１の他端にはバネボタン１３が嵌合する貫通孔１４が設けられている。
また、大径部１１上には、ジャッキ回転棒１６が挿通する貫通孔１５が少なくとも１つ以上設けられている。
【００１２】
ボール１は、ベランダ等の天井高さや装置の使用形態等に応じて、例えば長さの異なる３本のポール部材１０を組み合わせることで長さを調整することができ、ポール部材１０の先端および後端のパーツを取り替えるだけで、床置きタイプ、天吊りタイプ、壁掛けタイプの３タイプの室外機を移動させることができる。
このようなポール部材１０は、例えば小径部１２の径ｄ１が３９．２ｍｍφで１００ｍｍの長さからなり、大径部１１の径ｄ２が４２．８ｍｍφで、長さがそれぞれ４５０，７５０，９００ｍｍの３本からなるが、特にこの長さに限定されず、例えばポール部材１０のそれぞれの長さとしては、４００〜５００ｍｍ、７００〜９００ｍｍ、８００〜１０００ｍｍ等であってもよく、小径部１２も１００〜１５０ｍｍ程度の長さであってもよい。また、大径部１１および小径部１２の径は上記に限定されない。
【００１３】
ポール部材１０同士を連結させるには、図１（ｂ）に示すように小径部１２を大径部１１と嵌合させればよく、小径部１２のバネボタン１３を大径部１１の貫通孔１４に合わせることでバネボタン１３が貫通孔１４に嵌り、固定することができる。ポール部材１０同士を分離したい場合、貫通孔１４からバネボタン１３を離脱させればよい。
【００１４】
このようなポール部材１０の組み合わせでバルコニーの出幅が６００〜２５００ｍｍまで対応できる。またマンションの天井高は多くが２４００〜２７００ｍｍであるが、本考案では、天井高８００〜３６００ｍｍまでのほぼ全てのマンションの壁掛けタイプ・天吊りタイプの室外機に対応できる。
【００１５】
このようなポール部材１０を連結して形成されるポール１の材質や形状は、エアコン室外機の重量に耐えうる強度があり、軽量なものならば特に限定されないが、例えば材質は、スチール、鉄、アルミニウム、強化プラスチック樹脂等が挙げられる。
【００１６】
［Ｉ］天井取付タイプの室外機用移動部材
この移動部材は、図２（ａ）、（ｂ）に示す天側パーツ２１と床側パーツ２２とを含み、これらをポール１の上端および下端に接続して、図３（ａ）〜（ｃ）に示すように、枠体１０１により天井１０２に固定されたエアコン室外機１００を一時的に移動させるために用いられるものである。
【００１７】
＜天側パーツ２１（第１の天側パーツ）＞
前記ポール１０の上端に着脱自在に取り付けられる天側パーツ２１は、図２（ａ）に示すように、Ｃ型加工されたアルミニウム製等の室外機受け具２１１と、当て板２１２を上端に有する支持具２１３とを含む。室外機受け具２１１は、室外機１００を安定に保持するためのものである。前記支持具２１３は、ポール１の上端に固定される。
【００１８】
すなわち、図２（ａ）に示すように、支持具２１３の下端を、ポール１の上端に挿入し、貫通孔１４と複数の貫通孔２１７のうちいずれか一つとを一致させ、ボルト２１５Ａとこのボルト２１５Ａに螺合するナット２１５Bで締結する。
なお、支持具２１３に設ける貫通孔２１７の数は特に限定されないが、天側パーツ２１の長さを調整出来るよう支持具２１３の長手方向に沿って複数設けるのが好ましく、具体的には例えば貫通孔２１７は２〜４個、８０〜１００ｍｍ程度の間隔で設けるのが良い。
【００１９】
図２（ｃ）に示すように、前記室外機受け具２１１の内側には、ボルト２１９で抜け止め具２１８が固定されている。この抜け止め具２１８は、当て板２１２が室外機受け具２１１から抜け落ちるのを防止するための部材であって、U字溝２２０が形成されており、このU字溝２２０に、支持具２１３の上端部の当て板２１２を離脱可能に係合させる。なお、天側パーツ２１において、支持具２１３は回っても当て板２１２は共回りしないようになっている。
【００２０】
＜床側パーツ２２（第１の床側パーツ）＞
ポール１の下端に取り付けられる床側パーツ２２は、図２（ｂ）に示すように、下端面にねじ穴を有し前記ポール部材１０に着脱自在に接続されるパイプ材２２１と、前記ねじ穴に螺合するジャッキネジ２２４（高さ調整手段）と、このジャッキネジ２２４が立設され床面に設置するベース２２３とから構成される。パイプ材２２１に設けられた貫通孔２２２に挿通したジャッキ回転棒１６を回転させることでパイプ材２２１を昇降させることができる。
【００２１】
ポール部材１０を上端で受けるパイプ材２２１は、その径がポール部材１０の大径部１１と同じであり（４２．８ｍｍφ）、ポール部材１０の小径部１２を嵌合するものである。パイプ材２２１の上端部には、ポール部材１０の小径部１２に設けたバネボタン１３を嵌入させるための孔２２５が設けられている。
【００２２】
ベース２２３は、図２（ｂ）に示すように、上面にジャッキネジ２２４が溶接等によって一体に形成されており、床面１０４との接地面には、床面に対して滑らないように摩擦を大きくするためのゴムカバー等が取り付けられている。
【００２３】
＜寸切りボルト＞
その他のパーツとして、図３（ｃ）と図４（ｃ）に示すような、寸切りボルト２３がある。寸切りボルト２３は、後述するように、天井１０２から下方に移動させた室外機１００を仮保持するためのものである。
【００２４】
＜天井取付タイプの室外機用移動部材の使用方法＞
図３（ａ）〜（ｃ）、図４（ａ）〜（ｃ）は、天井１０２に取り付けた室外機１００を、天井１０２の塗装工事や枠体１０１との接触部の塗装工事等のために、一時的に移動させる手順を示している。
【００２５】
図３（ａ）および図４（ａ）に示すように、室外機１００は、コ字形の枠体１０１に保持され、枠体１０１の上端がボルト１０３によって天井１０２に取り付けられている。この状態で、室外機１００の下方に移動部材を組み立てる。
組み立ては、ポール部材１０を組み合わせて適切な長さに調整したポール１の下部に床側パーツ２２を取り付け、ポール１の上部に天側パーツ２１を取り付ける。
【００２６】
次に、図３（ｂ）、図４（ｂ）に示すように、ジャッキ回転棒１６にてパイプ材２２１を回転させてジャッキネジ２２４に沿ってパイプ材２２１を上昇させ、天側パーツ２１の室外機受け具２１１が枠体１０１の底面に接地する高さまで持ち上げ、室外機１００を保持した枠体１０１を仮保持する。この状態で枠体１０１を固定するボルト１０３を天井１０２より取り外す。
【００２７】
枠体１０１よりボルト１０３を取り外した後、天井１０２の塗装工事等に必要な隙間をつくるため、図３（ｃ）、図４（ｃ）に示すように、ジャッキ回転棒１６にてパイプ材２２１を回転させ、枠体１０１を下降させる。ついで、ボルト１０３が挿入されていた天井１０２のネジ孔へ寸切りボルト２３を螺合させ、さらにナット２３１で枠体１０１を寸切りボルト２３に固定する。これにより、室外機１００と枠体１０１は安定して保持され、塗装作業等を行うことができる。
【００２８】
天井１０２等への作業が終了した後、室外機１００を元へ戻すには、上記と逆の手順を行なえばよい。
【００２９】
［ＩＩ］壁取付タイプの室外機用移動部材
この移動部材は、図５（ａ）に示すように、ポール１と、その上端に取り付けられる天側パーツ２４０と、下端に取り付けられる床側パーツ２２と、移動した室外機１００を支持するためのブラケット３１(支持手段)とから構成される。
【００３０】
この移動部材は、バルコニーの壁面や天井等の塗装工事等を行うため、壁面に取り付けられた取付棚２４１より室外機１００を一時的に移動させ、バルコニーの壁面等の塗装工事の間、仮保持するために用いられる。
【００３１】
＜天側パーツ２４０（第２の天側パーツ）＞
天側パーツ２４０は、ポール１の上端に着脱自在に取り付けられ、天井面に当接する当接板２１４を上端に有する。この天側パーツ２４０は、先述した図２（ａ）に示した天側パーツ２１より室外機受け具２１１を取り除き、前記当て板２１２の上面に保護用のゴムシート（図示せず）を着脱自在に取り付けて当接板２１４としたものである。この天側パーツ２４０はバルコニーの天井１０２に当接して、ポール１を支える。
なお、この天側パーツ２４０の当接板２１４は、ポール１が回転しても共回りしない。
【００３２】
＜床側パーツ２２（第２の床側パーツ）＞
床側パーツ２２は、前記した天井取付タイプの室外機用移動部材に使用の床側パーツ２２（第１の床側パーツ）と同じものが使用される。
【００３３】
＜ブラケット３１＞
ブラケット３１は、図５（ａ）に示すように、壁面１０７にボルト１０３により取り付けられた取付棚２４１に載置された室外機１００の近傍位置で、ポール１に少なくとも１つ以上のクランプ４０で着脱自在に取り付けられ、壁面１０７からバルコニーのフェンス１０６側に一時的に室外機１００を移動させる受け台となるものである。このブラケット３１は、図５（ｂ）に示すように、角パイプからなる水平支持枠３１１と、この水平支持枠３１１の先端部近傍に支持軸３２によって回転自在に軸支された角パイプからなる傾斜支持枠３１２とを備え、水平支持枠３１１および傾斜支持枠３１２の基端部にはポール１に接続するためのクランプ４０が溶接等により取り付けられている。
このブラケット３１は、二本の同じ壁取付けタイプの室外機用移動部材を取り付けたポールを約５００ｍｍ間隔で立て、それらを一対として用い、取付棚２４１から一時的に移動させた室外機１００を取付棚２４１から独立して保持できる受け台とする。
これは壁面１０７の塗装を行う時、室外機１００を載置している取付棚２４１も壁面１０７よりボルト１０３を外して一時撤去させねばならないためである。
【００３４】
＜壁取付けタイプの室外機用移動部材の使用方法＞
次に、壁取付けタイプの室外機１００を一時移動させる方法を、図５（ａ）を用いて説明する。
まず、壁１０７にボルト１０３で固定された取付棚２４１に載置された室外機１００の前方にポール１を少なくとも一対設置する。このとき、それぞれのポール１の下端に取り付けられた床側パーツ２２のジャッキ回転棒１６にてパイプ材２２１を回転させジャッキネジ２２４に沿ってパイプ材２２１を上昇させ、天側パーツ２４０を天井１０２に当接する高さまで持ち上げ、一対のポール１を所定位置に固定する。
【００３５】
ブラケット３１は、ポール１を所定位置に取り付けた後にもそれぞれのポール１に同じ高さになるように取り付ける。ブラケット３１の取付位置は、水平支持枠３１１が取付棚２４１と同一の高さまたはその近傍の高さである。
【００３６】
ブラケット３１をポール１に取り付けた後、室外機１００を、接続されている冷媒配管（図示せず）の長さ範囲で、取付棚２４１から前方に移動させ、室外機１００をブラケット３１上に載置させる。これにより取付棚２４１の荷重がなくなるので、壁面１０７よりボルト１０３を外して前記取付棚２４１を一時撤去し、室外機１００の裏側にある壁面１０７だけでなく、前記取付棚２４１の裏側にある壁面１０７の塗装等の工事も可能となる。
【００３７】
［ＩＩＩ］床設置タイプの室外機用移動部材
この移動部材は、バルコニーの床面の防水工事、床のポリ塩化ビニルシート貼工事、壁塗装工事等を行う場合、図６に示すように、床面１０４に取り付けられた架台１０８から室外機１００を吊り上げるものである。
このような移動部材は、ポール１の他、壁側パーツ４１、床側パーツ４２、および吊り上げ手段としてクランプ４３とレバーホイスト４４と両端にフック４８を付けた帯紐４５とから構成される。
【００３８】
＜壁側パーツ４１＞
壁側パーツ４１は、ポール１の上端に着脱自在に取り付けられるパイプ４１３の先端にＬ形板４１１を軸４１２により回転自在に軸支したものである。この壁側パーツ４１は、ポール１を斜めにした状態で壁面１０７に当接する。
壁側パーツ４１のパイプ４１３には、接続されるポール部材１０の小径部１２上に設けられたバネボタン１３と嵌合する孔が設けられている。
【００３９】
＜床側パーツ４２（第３の床側パーツ）＞
床側パーツ４２は、上記壁側パーツ４１と同様に、ポール１の下端に着脱自在に取り付けられるパイプ４１３’の先端にＬ形板４１１を軸４１２により回転自在に軸支したものである。この床側パーツ４２は、ポール１を斜めにした状態で、バルコニーのフェンス１０６側の立ち上がり壁１０５と床面１０４とに当接し、斜めにしたポール１を安定に保持するものである。
パイプ４１３’は、ポール部材１０の小径部１２と同じ径（３９．２φ）であり、ポール部材１０の大径部１１内に嵌入され、それらの壁面に設けた貫通穴にボルトやピンで挿通させて固定する。
【００４０】
＜吊り上げ手段＞
吊り上げ手段は、図６、図７に示すように、丸環４６付クランプ４３、セイフティフック５１付Ｌ６００金属チェーン４９、セイフティフック５１付丸環５０とレバーホイスト４４と両端にフック４８を付けた帯紐４５とからなる。
クランプ４３は、単管形で構成され、ポール１に取り付けられ、外周面にレバーホイスト４４を吊下げるための丸環４６が取り付けられている。
【００４１】  レバーホイスト４４は、ハンドル４７を操作することにより、チェーンを巻き上げ・巻き下げするものである。レバーホイスト４４としては、室外機１００を吊り上げことができるものであれば、特に制限されない。レバーホイストとしては、例えば（公序良俗違反につき、不掲載）などから市販されているものが使用可能である。
【００４２】
帯紐４５は、少なくとも２本が用いられ、室外機１００の両側にかけ回し、両端に設けたフック４８を、セイフティフック５１付丸環５０に引っ掛け、この丸環５０を前記レバーホイスト４４のチェーン下端のフック５２に係止して使用される。
【００４３】
＜床設置タイプの室外機用移動部材の使用方法＞
まず、ベランダの壁面１０７からフェンス１０６側の立ち上がり壁１０５までの長さを考慮して、ポール部材１０を組み合わせて連結し、適切な長さのポール１を作製する。このポール１の上端および下端にそれぞれ壁側パーツ４１と床側パーツ４２とを取り付ける。
そして、床側パーツ４２のＬ形板４１をフェンス１０６側の立ち上がり壁１０５に当接させることによって、ポール１を傾斜させ、上端の壁側パーツ４１のＬ形板４１を壁面１０７に当接させる。これによって、ポール１は安定に固定される。
【００４４】
ポール１を固定した後、室外機１００の直上あたりのポール１上に丸環４６付クランプ４３を取付け、ついで丸環４６にレバーホイスト４４を取り付ける。一方、室外機１００の下部にかけ回した帯紐４５の両端のフック４８をセイフティフック５１付丸環５０に引っ掛け、この丸環５０をレバーホイスト４４のチェーン下端のフック５２に係止させる。
【００４５】
次に、室外機１００を架台１０８に固定するボルト（図示せず）を取り外した状態で、レバーホイスト４４のハンドル４７を操作して前記室外機１００を、冷媒配管（図示せず）の延びる範囲内で、かつ床面１０４が作業可能な高さまで吊り上げ、その状態で停止させ、架台１０８を床面１０４から撤去させる。これによって、室外機１００を設置していた床面１０４との間に隙間ができ、床面の塗装工事等の作業をすることができる。
【００４６】
なお、この床面１０４の塗装工事等の作業時、例えば、床面１０４に防水処理を目的とした塗装工事を行う場合、室外機１００を再度床面１０４に置くまでの時間が異なる。すなわち、塩ビシート張りの場合は室外機１００を上げて、塩ビシートを張ったら、すぐに室外機を下ろせるが、ウレタン塗膜防水の場合は室外機１００を上げたまま、ウレタン塗膜の硬化養生期間に一週間ほど必要となる。その時、レバーホイスト４４の代わりとなる代替品を用いて室外機１００を持ち上げたままの状態で維持できれば、レバーホイスト４４を他の作業に転用することができる。
そこで図７に示すように、室外機１００を持ち上げた後、丸環４６とセイフティフック５１付丸環５０との間をセイフティフック５１付Ｌ６００金属チェーン４９を用いて連結させる。
その結果、レバーホイスト４４のハンドル４７を操作して緩めて、前記レバーホイスト４４を丸環４６と丸環５０から外すことができ、かつ前記セイフティフック５１付Ｌ６００金属チェーン４９により室外機１００の持ち上げた高さは維持される。
【００４７】
作業終了後は、床面１０４に架台１０８を設置した後、上記と逆の順序で、丸環４６にレバーホイスト４４を引っ掛け、レバーホイスト４４のチェーン下端のフック５２をセイフティフック５１付丸環５０にセットして、ハンドル４７を操作して、荷重をレバーホイスト４４で受け、前記セイフティフック５１付丸環５０からセイフティフック５１付Ｌ６００金属チェーン４９を外して、再度ハンドル４７を操作して室外機１００を架台１０８上に吊り降ろして固定し、前記レバーホイスト４４のチェーン下端のフック５２から丸環５０と帯紐４５のフック４８を外し、ポール1と移動部材とを解体すればよい。
【００４８】
以上、上記したように、天井取付タイプの室外機用移動部材、壁取付タイプの室外機用移動部材、床設置タイプの室外機用移動部材は、それぞれポール１に組み合わせて取り付けることにより、室外機１００が天井、壁面、床面のいずれに設置されている場合であっても、移動装置として使用することができる。また、共通する部材を用いることができるので、部品点数を軽減でき、運搬や保管が容易となる。さらに、ベランダの高さや幅が様々であっても、部品点数を増大させることなく、容易に対応することができる。
【符号の説明】
【００４９】
１  ポール
１０  ポール部材
１１  大径部
１２  小径部
１３  突起
２２５  孔
１４、１５、２１７、２２２  貫通孔
１６  ジャッキ回転棒
２１、２４０  天側パーツ
２２、４２  床側パーツ
２３  寸切りボルト
２１１  室外機受け具
２１２  当て板
２１３  支持具
２１４  当接板
２１５Ａ  ボルト
２１５Ｂ  ナット
２１８  抜け止め具
２１９  ボルト
２２０  Ｕ字溝
２２１  パイプ材
２２３  ベース
２２４  ジャッキネジ
２４１  取付棚
３１  ブラケット
３２  支持軸
３１１  水平支持枠
３１２  傾斜支持枠
４０、４３  クランプ
４１  壁側パーツ
４４  レバーホイスト
４５  帯紐
４６、５０  丸環
４７  ハンドル
４８、５０  フック
４９  Ｌ６００金属チェーン
５１  セイフティフック
４１１  Ｌ形板
４１３、４１３’  パイプ
１００  室外機
１０３  ボルト
１０５  立ち上がり壁
１０６  フェンス
【図１】
0003189135.tif 000003
【図２】
0003189135.tif 000004
【図３】
0003189135.tif 000005
【図４】
0003189135.tif 000006
【図５】
0003189135.tif 000007
【図６】
0003189135.tif 000008
【図７】
0003189135.tif 000009
【手続補正書】
【提出日】平成25年12月13日(2013.12.13)
【手続補正１】
【補正対象書類名】実用新案登録請求の範囲
【補正対象項目名】全文
【補正方法】変更
【補正の内容】
【実用新案登録請求の範囲】
【請求項１】
バルコニーの天井、壁面または床に設置されたエアコン室外機を、その取り付け位置から移動させるための移動装置であって、
（１）１または２以上のポール部材を着脱自在に連結してなるポールと、
（２）下記（２−１）および（２−２）を含む天井取付タイプの室外機用移動部材と、
（２−１）前記ポールの下端に着脱自在に取り付けられ、高さ調整手段を介して床面に接地する第１の床側パーツ、および
（２−２）前記ポールの上端に着脱自在に取り付けられ、前記高さ調整手段により上下動する、天井から取り外した室外機を保持するための第１の天側パーツ、
（３）下記（３−１）〜（３−３）を含む壁取付タイプの室外機用移動部材と、
（３−１）前記ポールの下端に着脱自在に取り付けられ、高さ調整手段を介して床面に接地する第２の床側パーツ、
（３−２）前記ポールの上端に着脱自在に取り付けられ、天井面に当接する第２の天側パーツ、および
（３−３）壁面に取り付けられた室外機載置枠体の近傍位置でポールに着脱自在に取り付けられ、前記室外機載置枠体から引き出した室外機を保持する壁取付室外機の支持手段、
（４）下記（４−１）〜（４−４）を含む床設置タイプの室外機用移動部材と、
（４−１）前記ポールを斜めにした状態でポールの下端に着脱自在に取り付けられ、バルコニーの床面とその立ち上がり面に沿うＬ形板を有する第３の床側パーツと、
（４−２）前記ポールを斜めにした状態でポールの上端に着脱自在に取り付けられ、壁面に当接する壁側パーツ、
（４−３）前記ポールから着脱自在に吊り下げられ、床設置室外機を床面から吊り上げる手段、
を備えていることを特徴とするエアコン室外機の移動装置。
【請求項２】
バルコニーの天井に設置されたエアコン室外機を移動させるための移動装置であって、
（１）１または２以上のポール部材を着脱自在に連結してなるポールと、
（２−１）前記ポールの下端に着脱自在に取り付けられ、高さ調整手段を介して床面に接地する第１の床側パーツと、
（２−２）前記ポールの上端に着脱自在に取り付けられ、前記高さ調整手段により上下動する、天井から取り外した室外機を保持するための第１の天側パーツと、
を備えたことを特徴とするエアコン室外機の移動装置。
【請求項３】
バルコニーの壁面に設置されたエアコン室外機を移動させるための移動装置であって、
（１）１または２以上のポール部材を着脱自在に連結してなるポールと、
（３−１）前記ポールの下端に着脱自在に取り付けられ、高さ調整手段を介して床面に接地する第２の床側パーツと、
（３−２）前記ポールの上端に着脱自在に取り付けられ、天井面に当接する第２の天側パーツと、
（３−３）壁面に取り付けられた室外機載置枠体の近傍位置でポールに着脱自在に取り付けられ、前記室外機載置枠体から引き出した室外機を保持する壁取付室外機の支持手段と、
を備えたことを特徴とするエアコン室外機の移動装置。
【請求項４】
バルコニーの床面に設置されたエアコン室外機を移動させるための移動装置であって、
（１）１または２以上のポール部材を着脱自在に連結してなるポールと、
（４−１）前記ポールを斜めにした状態でポールの下端に着脱自在に取り付けられ、バルコニーの床面とその立ち上がり面に沿うＬ形板を有する第３の床側パーツと、
（４−２）前記ポールを斜めにした状態でポールの上端に着脱自在に取り付けられ、壁面に当接する壁側パーツと、
（４−３）前記ポールから着脱自在に吊り下げられ、床設置室外機を床面から吊り上げる手段と、
を備えたことを特徴とするエアコン室外機の移動装置。
【請求項５】
前記（２−１）の第１の床側パーツと（３−１）記載の第２の床側パーツが、下端面にねじ穴を有し前記ポール部材に着脱自在に接続されるパイプ材と、前記ねじ穴に螺合するジャッキネジが立設され床面に接地するベースとを備えるものである請求項１に記載のエアコン室外機の移動装置。
【請求項６】
前記（２−１）の第１の床側パーツと（３−１）記載の第２の床側パーツが同一部材である請求項１または５に記載のエアコン室外機の移動装置。
【請求項７】
前記（４−３）記載の床設置室外機を床面から吊り上げる手段がレバーホイストである請求項１または４に記載のエアコン室外機の移動装置。
【手続補正２】
【補正対象書類名】明細書
【補正対象項目名】００４１
【補正方法】変更
【補正の内容】
【００４１】
レバーホイスト４４は、ハンドル４７を操作することにより、チェーンを巻き上げ・巻き下げするものである。レバーホイスト４４としては、室外機１００を吊り上げことができるものであれば、特に制限されない。レバーホイストとしては、市販されているものが使用可能である。